(57)【要約】【課題】４種のテーパー長さの違うポリエステル繊維よりなる筆穂は、全てストレートであって先端をテーパー化した繊維を用いるため穂先のまとまりは良いが、筆毛が密集過ぎて、塗布液が穂先内を流動しにくく、低粘度塗布液では流動するが、高粘度塗布液は、筆記時に筆跡がカスレてしまう問題を有していた。更に、先端をテーパー加工した径の異なる２種類のストレートな筆毛とクリンプを有する筆毛と断面が異形な筆毛を少なくとも混毛してなる筆穂は、穂先のまとまりと吐出性は良いが先端の腰が弱い。【解決手段】径の異なるストレートな筆毛と、クリンプを有する筆毛と、断面が異形な筆毛とを少なくとも混毛してなる筆穂において、このストレートな筆毛に対して、クリンプを有する筆毛の繊維の直径が０．２倍〜０．５倍にし、又断面が異形な筆毛の繊維の直径が０．７倍〜１．０倍になるようになした筆穂。【選択図】  図１
2004223028.tif 000002
【特許請求の範囲】
【請求項１】
先端をテーパー化した合成樹脂製の筆毛よりなる筆穂であって、この筆穂が、径の異なるストレートな筆毛と、クリンプを有する筆毛と、断面が異形な筆毛とを少なくとも混毛してなる筆穂において、このストレートな筆毛に対して、クリンプを有する筆毛の繊維の直径が０．２倍〜０．５倍にし、又断面が異形な筆毛の繊維の直径が０．７倍〜１．０倍になるようになしたことを特徴とする筆穂。
【請求項２】
ストレートな筆毛が４０〜７０重量％、クリンプを有する筆毛が５〜２０重量％、断面が異形な筆毛が２０〜４０重量％である請求項１記載の筆穂。
【発明の詳細な説明】
【０００１】
【発明の属する技術分野】
本発明は、アイライナーやリップカラーなどの化粧液、筆跡修正液、接着剤、漆器用の面相筆といった、特に、高粘度塗布液の塗布具に用いられる筆穂に関し、高粘度塗布液の吐出性と筆記時のタッチ（筆穂を塗布面に押し付けた際の弾力性）を良好となした筆穂に関する。
【０００２】
【従来の技術】
従来、内部をインキ収容室となした軸筒の先端開口に筆穂を取り付けた筆ペンが知られている。
この筆ペンは、インキとして、筆記用インキや墨汁といった低粘度のものを用い、筆穂の材料として、ポリアミド（６，６−ナイロン、６−ナイロン、１２−ナイロン、６，１０−ナイロン、６，１２−ナイロンなど）、ポリオレフィン（ポリエチレン、ポリプロピレンなど）ポリエステル（ポリエチレンテレフタレート、ポリブチレンテレフタレートなど）、ポリウレタン、ポリアクリル、ポリアクリロニトリル、アクリロニトリル−スチレン共重合物、アクリロニトリル−ブタジエン−スチレン共重合物などの合成繊維よりなる筆毛を集束したものを用いたものである。
【０００３】
上記筆記用インキや墨汁は、染料や顔料などの着色材と水溶性有機溶剤と水とを含むものが一般に用いられており、その粘度は、２５℃において２．７〜４．０ｍＰａ・ｓの範囲である。本発明における低粘度インキ（又は、低粘度塗布液）とは、この粘度範囲に含まれる物を示す。
【０００４】
また、上記筆穂は、合成樹脂製繊維の先端をテーパー化してなる筆毛を、その基部を糸などで結束したり、接着剤で接着したり、熱を加えて溶着したりして形成したものが用いられている。
因みに、合成樹脂製繊維の先端をテーパー化し、筆毛となすためには、合成樹脂製繊維を溶解又は分解する処理液に接触させる方法が提案されている（特許文献１、特許文献２参照）。
【０００５】
さらに、上記筆穂は塗布液保持量を向上させる目的の提案も種々行われている。例えば、筆毛を波状にクリンプして、その波長が各々相違する多数の先端をテーパー化した合成樹脂製筆毛よりなる筆穂（特許文献３参照）やポリエステル繊維を加水分解により得た４種類のテーパー長さの違う繊維を混毛してなる筆穂（特許文献４参照）や、先端をテーパー加工した、径の異なるストレートな筆毛とクリンプを有する筆毛と断面が異形な筆毛とを少なくとも混毛してなる筆穂（特許文献５参照）などが提案されている。
【０００６】
【特許文献１】
特公昭４９−６１５９号公報（実施例１〜実施例３）。
【特許文献２】
特公昭６０−３０５５６号公報（第５欄第３５行目〜第８欄第４行目）。
【特許文献３】
実開昭６２−１１４７８１号公報（第２図）。
【特許文献４】
実開昭５６−８３０７３号公報（実用新案登録請求の範囲）。
【特許文献５】
実開平６−２４９７６号公報（段落００１５）。
【０００７】
【発明が解決しようとする課題】
しかしながら、上記、クリンプの波長が各々相違する多数の合成樹脂製筆毛よりなるものの場合、空間率が大きくなり易く、穂先のまとまりが劣り、筆記時のタッチが悪いといった問題を持たざるを得ず、また、４種のテーパー長さの違うポリエステル繊維よりなる筆穂は、全てストレートであって先端をテーパー化した繊維を用いるため穂先のまとまりは良いが、筆毛が密集過ぎて、塗布液が穂先内を流動しにくく、低粘度塗布液では流動するが、高粘度塗布液は、筆記時に筆跡がカスレてしまう問題を有していた。更に、先端をテーパー加工した径の異なる２種類のストレートな筆毛とクリンプを有する筆毛と断面が異形な筆毛を少なくとも混毛してなる筆穂は、穂先のまとまりと吐出性は良いが先端の腰が弱いと言う問題が残されていた。
因みに、本発明における高粘度塗布液は、その粘度が２５℃において１０〜２００ｍＰａ・ｓの範囲であるものを示す。
本発明は、上記問題に鑑みなしたものであって、高粘度塗布液を塗布する筆穂であって、塗布液の吐出性が良好で塗布跡にカスレなどが発生し難く、更に、塗布時、穂先のまとまりが良く筆記時のタッチが良い筆穂を提供することを課題とするものである。
【０００８】
【課題を解決するための手段】
本発明は、先端をテーパー化した合成樹脂製の筆毛よりなる筆穂であって、この筆穂が、径の異なるストレートな筆毛と、クリンプを有する筆毛と、断面が異形な筆毛とを少なくとも混毛してなる筆穂において、このストレートな筆毛に対して、クリンプを有する筆毛の繊維の直径が０．２〜０．５倍にし、又断面が異形な筆毛の繊維の直径が０．７〜１．０倍になるようになしたことを要旨とするものである。。
【０００９】
以下、本発明について説明する。図１において、参照符号１は化粧用筆穂であり、この筆穂１は、前軸６に挿入固定され、この前軸６は後軸７の前端に挿入固定され、筆を形成している。
筆穂１は、先端をテーパー化した径の異なるストレートな筆毛２、３と、先端をテーパー化したクリンプを有する筆毛４と、断面が異形な筆毛５とを用いて長手方向に集束し、後端を熱溶着や接着剤による接着などの方法により固着して形成したものである。
【００１０】
筆毛に使用している合成樹脂製の材質としては、ポリアミド（６，６−ナイロン、６−ナイロン、１２−ナイロン、６，１０−ナイロン、６，１２−ナイロンなど）ポリエステル（ポリエチレンテレフタレート、ポリブチレンテレフタレートなど）、ポリウレタン、ポリアクリロニトリル、アクリロニトリル−スチレン共重合物、アクリロニトリル−ブタジエン共重合物などを用いることができるが、各筆毛の材質は同一であっても異なっていても良い。
先端をテーパー加工したストレートな筆毛２、３は、市販品としてはタイネックスブラッシュフィラメント：Ｒｏｕｎｄタイプ０９００シリーズ（材質：ナイロン、米国デュポン社製）が挙げられる。
先端をテーパー加工したクリンプを有する筆毛４は、市販品としてはタイネックス  ブラッシュフィラメント：Ｗａｖｙタイプ（材質：ナイロン：波形状：米国デュポン社製）が挙げられる。
先端をテーパー加工した断面が異形な筆毛５は、市販品としてはタイネックスフイラメント：Ｑｕａｄｒｉｌｏｂａｌ  タイプ０９２０シリーズ（材質：ナイロン、断面形状：クローバー状、米国デュポン社製）タイネックスブラッシュフィラメント：タイプ０９６０シリーズ（材質：ナイロン：断面形状シーホース型、米国デュポン社製）、タイネックスブラッシュフィラメント：Ｈｏｌｌｏｗタイプ０９５０シリーズ（材質：ナイロン、断面形状：ドーナツ状、米国デュポン社製）、カシミロンＴＡＢＲシリーズ（材質：ポリアクリロニトリル、断面形状：略三角形、旭化成工業（株）製）などが例示できる。
尚、断面形状異形とは、筆毛の軸方向に垂直な面の形状が円形以外のものであり、上記市販品として例示したように、略十字状、略三角形状、略Ｙ字状、クローバー状や半円状、矩形状のものがあり、特に断面が略十字状といった放射状形状のものの方が半円形、矩形状のものより顕著な効果を示すので好ましい。
【００１１】
この筆穂１は、先端をテーパー加工した径の異なるストレート筆毛２、３とクリンプを有する筆毛４と断面が異形な筆毛５を少なくとも混毛し、このストレートの筆毛に対して、クリンプを有する筆毛の繊維の直径が０．２〜０．５倍にし、又、断面が異形な筆毛の直径が０．７〜１．０倍になることが必要である。これは、塗布液が筆穂中を良好に流動できるようにするためと、筆記時のタッチを良好にするためである。
【００１２】
径の異なるストレートな筆毛を使用する目的は、筆毛２は、塗布時の腰安定の目的で使用するもので、又、筆毛３は、穂先のまとまりを良くする目的のため使用するものである。その直径としては、筆毛２は、０．１８ｍｍ〜０．２５ｍｍ程度が好ましく、筆毛３は、０．１０ｍｍ〜０．２１ｍｍ程度が好ましい。その理由は、筆毛２の直径が０．１８ｍｍに満たないと筆穂先端の腰が弱く筆記時に腰砕けすることがあり、直径が０．２５ｍｍを超えると腰が強すぎて、筆記時に筆穂側面から筆毛がはみ出すからであり、又、筆毛３の直径が０．１０ｍｍに満たないと筆穂の復元性が悪くなり、直径が０．２１ｍｍを超えると穂先のまとまりが悪くなるからである。尚、筆毛２は、他の筆毛の直径に比較し最大径となることが好ましい。その理由は、筆穂の腰を安定化し、筆穂先端のタッチを良くするためである。
又、筆穂１に占める使用割合としては、ストレートな筆毛２は、５〜３０重量％が好ましく、又、ストレートな筆毛３は、３０〜５０重量％が好ましい。その理由は、ストレートな筆毛２が５重量％に満たないと腰が安定しにくく、腰砕けすることがあり、ストレートな筆毛２が３０重量％を超えると塗布液の保持性が悪くなったり、筆記時に筆穂側面から筆毛がはみ出すからである。又、ストレートな筆毛３が３０重量％に満たないと筆穂のまとまりを悪くすることがあり、ストレートな筆毛３が５０重量％を超えると塗布液の保持性が低下するからである。
尚、ストレートな筆毛は、直径が０．１０〜０．２５ｍｍの範囲であれば、何種類使用しても良い。
【００１３】
クリンプを有する筆毛４は、塗布液の保持性を向上させる目的のために使用するものであって、そのクリンプ状態としては、種々のものが採用できる。その直径としては、ストレートな筆毛２に対して０．２〜０．５倍程度が好ましい。その理由は、直径が０．２倍に満たないとテーパー加工上テーパーが形成されていない、粗い毛が混入することがあり、直径が０．５倍を超えると空間率が大きくなりすぎ、筆穂のまとまりが悪くなるからである。
又、筆穂１に占める割合としては、５〜２０重量％が好ましい。その理由は、５重量％に満たないと塗布時において、塗布液の保持性が悪くなり、２０重量％を超えると筆記時に筆穂がバラケたり割れたりすることがあるからである。
【００１４】
断面が異形な筆毛５は、塗布液の吐出性向上の目的のために使用するものである。その直径としては、ストレートな筆毛２に対して０．７〜１．０倍程度が好ましい。その理由は、直径が０．７倍に満たないと空間率が小さくなり、吐出性が低下し、直径が１．０倍を超えると空間率が大きくなりすぎて、筆穂のまとまりが悪くなるからである。
又、筆穂１に占める割合としては、２０〜４０重量％程度が好ましい。その理由は、２０重量％に満たないと空間率が小さくなりすぎて、塗布液の吐出を悪くし、穂先割れすることがあり、４０重量％を超えると空間率が大きくなりすぎて筆穂がバラケたり割れたりすることがあるからである。
【００１５】
発明の筆穂を製造するに当たっては、上記４種類の筆毛を少なくとも混毛し、後端を溶着、接着又は、後部を糸などで縛って筆毛の脱落を防止して筆穂となす訳であるが、混毛された筆穂は、径の異なるストレートな筆毛２、３とクリンプを有する小径な筆毛４と断面が異形な筆毛５とがお互いに均一に配列されていることが好ましい。
【００１６】
【実施例】
以下、実施例を説明する。
図１は、本発明の化粧用筆穂の使用例である筆を示すものである。参照符号１は、化粧用筆穂であり、後述する筆毛２、３、４、５を混毛し、その後部を溶着したものである。その筆穂１は、前軸６に挿入固定され、この前軸６は後軸７の前端に挿入固定され、筆を形成している。
筆毛は、先端をテーパー加工した径の異なるストレートな筆毛２、３と、先端をテーパー加工したクリンプを有する筆毛４と、断面が異形な筆毛５を用いるが、他の条件を表１に示す。
【００１７】
【表１】
2004223028.tif 000003
【００１８】
実施例１〜１２、比較例１〜６
表２に実施例１〜１２、並びに、比較例１〜６の筆穂の筆毛の配合を示す。
【００１９】
【表２】
2004223028.tif 000004
【００２０】
上記実施例１〜１２及び比較例１〜６の化粧用筆穂を用いて図１のように筆を形成し、塗布時の弾性試験（タッチ）及び化粧料の塗布試験をおこなった（表３参照）。
【００２１】
塗布時の弾性試験
方法：レオメーターに筆穂を６０度にセットし、ブラシ先端より５ｍｍの位置まで速    度２ｃｍ／ｍｉｎの速さで押し付けたときの変形荷重を測定した。
塗布試験（アンケート調査）
方法：任意に抽出した女性にアイライナーの使用性についてアンケート調査を実施した。
【００２２】
【表３】
2004223028.tif 000005
【００２３】
【発明の効果】
本発明に係る筆穂は、先端をテーパー加工した径の異なるストレートな筆毛と先端をテーパー加工したクリンプを有する筆毛と先端をテーパー加工した断面が異形な筆毛とを少なくとも混毛してなるので、先端をテーパー加工した径の異なるストレートな筆毛が筆穂の腰を適度にすると共に、穂先のまとまりを良くし、また、先端をテーパー加工したクリンプを有する筆毛が化粧料の保持性を良くし、さらに、先端をテーパー加工した断面が異形な筆毛が塗布時の吐出性を良くするので、全体として、筆穂先端の腰が適度でまとまりの良い、塗布液の保持性が良い筆穂が得られるものである。
【図面の簡単な説明】
【図１】本考案の一実施例の筆穂を装着した筆の正面図である。
【図２】筆毛の拡大模式図である。
【図３】断面が異形な筆毛の断面図である。
【図４】図３の変形例を示す図である。
【符号の説明】
１      筆穂
２      先端をテーパー加工したストレートな筆毛
３      先端をテーパー加工したストレートな筆毛
４      先端をテーパー加工したクリンプを有する筆毛
５      先端をテーパー加工した断面が異形な筆毛
６      前軸
７      後軸
【図１】
2004223028.tif 000006
【図２】
2004223028.tif 000007
【図３】
2004223028.tif 000008
【図４】
2004223028.tif 000009